(57)【要約】【課題】冬期暖房時の効率向上と夏季冷房時の効率向上とを図ることができ、空調室外機の設置作業も簡単且つ迅速に行える。【解決手段】複数の空調室外機１が間隔を隔てて並設され、空調室外機１の各々には、防雪性能及び日射遮蔽性能を有するフード１０として、空調室外機１の上部を覆う上部フード１１と、隣り合う空調室外機１どうしの間の空間を上方側から覆う側部フード１２と、が備えられ、上部フード１１と側部フード１２とは、側部フード１２が上部フード１１から側方に延びる状態で一体形成されている。【選択図】図１
2020098046.tif 000002
【特許請求の範囲】
【請求項１】
複数の空調室外機が間隔を隔てて並設され、
前記空調室外機の各々には、防雪性能及び日射遮蔽性能を有するフードとして、前記空調室外機の上部を覆う上部フードと、隣り合う前記空調室外機どうしの間の空間を上方側から覆う側部フードと、が備えられ、
前記上部フードと前記側部フードとは、前記側部フードが前記上部フードから側方に延びる状態で一体形成されているフード構造。
【請求項２】
前記側部フード及び前記上部フードの外表面が、鏡面処理された熱反射面に構成されている請求項１に記載のフード構造。
【請求項３】
前記空調室外機の左右方向に複数の前記空調室外機が並設され、且つ、前記空調室外機の後方側どうしが対向する状態で前記空調室外機の前後方向に複数の前記空調室外機が並設され、
前記側部フードとして、前記空調室外機の左右方向の両側に延びる左右一対の左右フードと、前記空調室外機の後方側に延びる後フードとが備えられている請求項１又は２に記載のフード構造。
【請求項４】
前記空調室外機は、側部に備えられた給気口から外気を給気し、上部に備えられた排気口から外部に排気するように構成され、
前記上部フードが、前記排気口からの排気を許容しながら、前記排気口を覆う状態で備えられ、
前記給気口が、隣り合う前記空調室外機どうしの間の空間を望む状態で備えられている請求項１〜３のいずれか１項に記載のフード構造。
【発明の詳細な説明】
【技術分野】
【０００１】
本発明は、間隔を隔てて並設されている複数の空調室外機にフードを設置するフード構造に関する。
【背景技術】
【０００２】
例えば、冬季等の暖房時に、空調室外機に内蔵される熱交換器のフィンに着雪すると、熱交換効率の低下を招き、冬期暖房時の効率が低下することが懸念されている。そこで、熱交換器への着雪を防止するために、隣り合う空調室外機どうしの間の空間を覆うように、空調室外機の側部に防雪用のネットが配置されているものがある（例えば、特許文献１参照。）。
【０００３】
また、夏季等において、熱交換器のフィンに日射が当たり、日射熱でフィンが温度上昇してフィンの熱交換効率が低下することや、空調室外機を設置している部位の床や空調室外機自体に日射が当たり、日射熱による当該床や空調室外機自体の温度上昇により空調室外機への給気の温度上昇が生じることで、夏季冷房時の効率が低下することが懸念されている。そこで、隣り合う空調室外機どうしの間の空間を覆うように、空調室外機の側部に遮熱シートが配置されているものがある（例えば、特許文献２参照。）。
【先行技術文献】
【特許文献】
【０００４】
【特許文献１】実開平０６−０７３６２２号公報
【特許文献２】特開２０１４−３７９２０号公報
【発明の概要】
【発明が解決しようとする課題】
【０００５】
特許文献１に記載のものでは、防雪用のネットには、日射を遮らないように目開きが形成されているので、夏季等において、熱交換器のフィンに日射が当たることや、空調室外機を設置している部位の床や空調室外機自体に日射が当たることで、空調室外機への給気の温度上昇が生じてしまい、夏季冷房時の効率が低下することが懸念される。
【０００６】
特許文献２に記載のものでは、夏季において、遮熱シートによって、熱交換器のフィン、空調室外機を設置している部位の床や空調室外機自体に日射が当たることが防止できるものの、冬季において、遮熱シートによって、熱交換器のフィンへの着雪を防止する点については記載されていない。
【０００７】
よって、特許文献１及び特許文献２には、夏季において、空調室外機の熱交換器のフィン等に日照が当たることを防止できるとともに、冬季において、空調室外機の熱交換器のフィンへの着雪を防止することができるフード構造については記載されていない。
【０００８】
また、特許文献１及び特許文献２に記載のいずれでも、空調室外機における排気口の上部に雪や日射を遮るものがないので、上部の排気口を通じて、雪や日射が内部に侵入し、熱交換器のフィンの熱交換効率が低下する虞がある。また、特許文献２に記載のものでは、遮熱シートが、隣り合う空調室外機に共有のもので、隣り合う空調室外機に架設して取り付けられているので、空調室外機を並設した後に、遮熱シートを架設する作業を行う必要があり、空調室外機の設置作業に手間や時間がかかる。
【０００９】
この実情に鑑み、本発明の主たる課題は、冬期暖房時の効率向上と夏季冷房時の効率向上とを図ることができ、空調室外機の設置作業も簡単且つ迅速に行えるフード構造を提供する点にある。
【課題を解決するための手段】
【００１０】
本発明の第１特徴構成は、複数の空調室外機が間隔を隔てて並設され、
前記空調室外機の各々には、防雪性能及び日射遮蔽性能を有するフードとして、前記空調室外機の上部を覆う上部フードと、隣り合う前記空調室外機どうしの間の空間を上方側から覆う側部フードと、が備えられ、
前記上部フードと前記側部フードとは、前記側部フードが前記上部フードから側方に延びる状態で一体形成されている点にある。
【００１１】
本構成によれば、冬季等においては、上部フード及び側部フードの双方により、上方及び側方からの熱交換器のフィンへの着雪を防止することで、フィンの熱交換効率の低下を好適に抑制することができる。よって、冬期暖房時の効率向上を図ることができる。
夏季等においても、上部フード及び側部フードにより、上方及び側方から熱交換器のフィンに日射が当たることを防止することで、日射熱によるフィンの温度上昇を抑制し、フィンの熱交換効率の低下を好適に抑制することができる。更に、側部フードにより空調室外機を設置している部位の床や空調室外機自体に日射が当たることを防止することで、日射熱による当該床や空調室外機自体の温度上昇を抑制し、空調室外機への給気の温度上昇を抑制することができる。よって、夏期冷房時の一層の効率向上を図ることができる。
【００１２】
しかも、空調室外機の各々に上部フード及び側部フードが備えられているので、予め上部フードと側部フードを取り付けた空調室外機を並設するだけで、空調室外機を設置することができる。また、上部フードと側部フードが一体形成されているので、空調室外機に対するフードの取り付け作業も簡単に行うことができ、空調室外機の設置作業を簡単且つ迅速に行うことができる。
【００１３】
本発明の第２特徴構成は、前記側部フード及び前記上部フードの外表面が、鏡面処理された熱反射面に構成されている点にある。
【００１４】
本構成によれば、側部フード及び上部フードの外表面が熱反射面に構成されているので、日射熱の透過率を小さくすることができる。よって、夏季等において、日射熱によるフィンの熱交換効率の低下や空調室外機への給気の温度上昇を一層抑制することができ、夏期冷房時の一層の効率向上を図ることができる。
【００１５】
本発明の第３特徴構成は、前記空調室外機の左右方向に複数の前記空調室外機が並設され、且つ、前記空調室外機の後方側どうしが対向する状態で前記空調室外機の前後方向に複数の前記空調室外機が並設され、
前記側部フードとして、前記空調室外機の左右方向の両側に延びる左右一対の左右フードと、前記空調室外機の後方側に延びる後フードとが備えられている点にある。
【００１６】
本構成によれば、各空調室外機の前方側にメンテナンス用等のスペースを確保しながら、複数の空調室外機を並設することができる。そして、左右フードにより左右方向に隣り合う空調室外機どうしの間の空間を上方側から適切に覆うことができ、しかも、後フードにより後方に隣り合う空調室外機どうしの間の空間を上方側から適切に覆うことができるので、防雪性能及び日射遮蔽性能の両性能を効果的に発揮することができる。
【００１７】
本発明の第４特徴構成は、前記空調室外機は、側部に備えられた給気口から外気を給気し、上部に備えられた排気口から外部に排気するように構成され、
前記上部フードが、前記排気口からの排気を許容しながら、前記排気口を覆う状態で備えられ、
前記給気口が、隣り合う前記空調室外機どうしの間の空間を望む状態で備えられている点にある。
【００１８】
本構成によれば、上部フードにより、排気口からの排気を許容しながら、空調室外機の排気口を覆うことができ、排気口を通じて熱交換器のフィンに着雪することや、排気口を通じて熱交換器のフィンに日射が当たることを良好に防止することができる。
側部フードにより、空調室外機の給気口が臨む隣り合う空調室外機どうしの間の空間の上方を覆うことができ、空調室外機への給気の温度上昇を適切に抑制することができる。
【図面の簡単な説明】
【００１９】
【図１】空調室外機を示す斜視図
【図２】複数の空調室外機が並設された状態を示す平面図
【図３】複数の空調室外機が並設された状態での正面図
【図４】複数の空調室外機が並設された状態での側面図
【発明を実施するための形態】
【００２０】
本発明に係るフード構造は、間隔を隔てて並設された複数の空調室外機に設置するフードに関する構造である。以下、このフード構造について、図面に基づいて説明する。
【００２１】
図１に示すように、空調室外機１は、ビル等の建物の屋上等の床部２上に架台部３を介して設置されており、例えば、上下方向に延びる縦長の立方体形状に形成されている。空調室外機１は、前面部１ａを除く、左右の横側面部１ｂ及び後面部１ｃの３面の側部に給気口４（図２参照）が備えられ、上面部に排気口５が備えられている。
【００２２】
空調室外機１は、給気口４から内部に給気した外気を、内蔵された室外機用の熱交換器（図示省略）にて熱搬送流体（例えば、冷媒）と熱交換させ、熱交換された後の外気を排気口５から外部に排気している。ちなみに、熱搬送流体は、室内機に内蔵された室内機用の熱交換器に供給され、室内機用の熱交換器にて室内の空気と熱交換されて、室内の冷房や暖房等の空調を行う。
【００２３】
ビル等の建物では、複数の居室が備えられており、複数の居室にて空調を行うために、図２〜図４に示すように、床部２には複数の空調室外機１が間隔を隔てて並設されている。空調室外機１の左右方向（図２中、Ｘ方向にて示しており、以下「Ｘ方向」と略称する）では、複数の空調室外機１が所定間隔を隔てて並設されている。空調室外機１の前後方向（図２中、Ｙ方向にて示しており、以下「Ｙ方向」と略称する）では、空調室外機１の後方側どうしが対向する状態でＹ方向に複数（例えば、２つ）の空調室外機１が所定間隔を隔てて並設されている。
【００２４】
空調室外機１では、給気口４にて外気を給気する側部（横側面部１ｂ及び後面部１ｃ）と排気口５にて外気を排気する側部（前面部１ａ）とが異なる側部となっている。これにより、排気口５から排気された外気が、そのまま給気口４から給気されるのを防止して、熱交換効率の低下等を抑制している。しかしながら、複数の空調室外機１を並設する場合には、Ｘ方向やＹ方向で隣り合う空調室外機１から排気された外気を、そのまま給気してしまう可能性がある。
【００２５】
そこで、複数の空調室外機１の夫々は、図３に示すように、横側面部１ｂに配置された給気口４にて、Ｘ方向に隣り合う空調室外機１との間に形成される第１給気空間６から外気を給気している。また、複数の空調室外機１の夫々は、図４に示すように、後面部１ｃに配置された給気口４にて、Ｙ方向に隣り合う空調室外機１との間に形成される第２給気空間７から外気を給気している。そして、複数の空調室外機１の夫々は、上部に配置された排気口５から、Ｙ方向に隣り合う空調室外機１とは反対側（空調室外機１の前面側）に外気を排気している。
【００２６】
このように、Ｘ方向及びＹ方向で隣り合う空調室外機１では、その隣り合う側面部（横側面部１ｂ又は後面部１ｃ）に給気口４が配置されており、給気口４が隣り合う空調室外機１どうしの間の給気空間６，７に望む状態で備えられている。その結果、他の空調室外機１から排気された外気を、そのまま給気してしまうのを防止している。
【００２７】
複数の空調室外機１の夫々には、図１に示すように、防雪性能及び日射遮蔽性能を有するフード１０が備えられている。フード１０は、日射反射率が高く、積雪荷重に耐えることができる素材（例えば、アルミ等の金属）にて構成されている。フード１０は、空調室外機１の上部を覆う上部フード１１と、Ｘ方向及びＹ方向で隣り合う空調室外機１どうしの間の空間を上方側から覆う側部フード１２（図３及び図４参照）とが備えられている。上部フード１１と側部フード１２とは、側部フード１２が上部フード１１から側方に延びる状態で一体形成されている。
【００２８】
上部フード１１は、図１に示すように、排気口５からの排気を許容しながら、排気口５を覆う状態で備えられている。上部フード１１は、排気口５の上部を覆う上部被覆部１１ａと排気口５の左右両側を覆う左右一対の左右被覆部１１ｂと排気口５の後方側を覆う後被覆部１１ｃとが備えられている。上部フード１１は、上部被覆部１１ａと左右被覆部１１ｂと後被覆部１１ｃとを一連に延設して、空調室外機１の上部、左右及び後方側を一連に連続して囲む壁状に形成されている。
【００２９】
上部被覆部１１ａは、図４に示すように、空調室外機１の後方側よりも前方側ほど高くなる傾斜姿勢で備えられ、左右被覆部１１ｂは、その上端部が空調室外機１の後方側よりも前方側ほど高くなる傾斜状に形成されている。これにより、上部フード１１は、図１に示すように、空調室外機１の前方側に、上下方向に開口面積を広げた開口部１１ｄを備えており、開口部１１ｄを通して外気の排気を適切に行いながら、排気口５の上部を覆うようにしている。上部フード１１にて排気口５を適切に覆うことができるので、雪や日射の内部への侵入を防止することができ、夏季及び冬季の双方において熱交換効率の低下を防止することができる。
【００３０】
側部フード１２は、空調室外機１の左右方向の両側に延びる左右一対の左右フード１３と、空調室外機１の後方側に延びる後フード１４とが備えられている。左右フード１３と後フード１４とは、空調室外機１の上下方向において同じ高さになるように配置されている。左右フード１３及び後フード１４の高さは、例えば、上部フード１１の後被覆部１１ｃの上端部と同じ又は略同じ高さとすることができる。
【００３１】
左右フード１３と後フード１４とは、空調室外機１から延びる方向が異なるだけで、同様の構成を有している。左右フード１３は、図３に示すように、Ｘ方向に延びる板状の左右水平部１３ａと、空調室外機１の横側面部１ｂと左右水平部１３ａとに連結されて左右水平部１３ａを下方側から受け止め支持する左右受け止め支持部１３ｂとが備えられている。後フード１４は、図４に示すように、Ｙ方向に延びる板状の後水平部１４ａと、空調室外機１の後面部１ｃと後水平部１４ａとに連結されて後水平部１４ａを下方側から受け止め支持する後受け止め支持部１４ｂとが備えられている。
【００３２】
複数の空調室外機１を並設するに当たり、図３に示すように、Ｘ方向において、隣接する空調室外機１の左右フード１３どうしが近接して位置し、且つ、図４に示すように、Ｙ方向において、隣接する空調室外機１の後フード１４どうしが近接して位置するように、複数の空調室外機１が並設されている。これにより、Ｘ方向において隣接する空調室外機１の左右フード１３にて、第１給気空間６の上部を適切に覆うことができるとともに、Ｙ方向において隣接する空調室外機１の後フード１４にて、第２給気空間７の上部を適切に覆うことができる。よって、給気口４が望む第１給気空間６及び第２給気空間７の上部を覆うことで、夏季の冷房時には、第１給気空間６及び第２給気空間７を日影として、給気口４からの給気の温度上昇を適切に防止することができ、夏期冷房時の効率向上を図ることができる。また、冬季の暖房時にも、給気口４からの雪の侵入等を防止することができ、冬季暖房時の熱交換効率の低下を防止することができる。
【００３３】
側部フード１２及び上部フード１１の外表面（上面）が、鏡面処理された熱反射面に構成されている。例えば、側部フード１２及び上部フード１１の上面に対してアルミ鏡面加工を施している。これにより、側部フード１２及び上部フード１１における日射熱の透過率を小さくすることができるので、夏季等において、日射熱によるフィンの熱交換効率の低下や給気口４からの給気の温度上昇を一層抑制することができ、夏期冷房時の一層の効率向上を図ることができる。
【００３４】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態において、上部フード１１の形状については、適宜変更が可能であり、排気口５を上方側から覆うものであればよい。
また、側部フード１２の形状についても、適宜変更が可能であり、隣り合う空調室外機１どうしの間の第１給気空間６及び第２給気空間７を上方側から覆うものであればよい。
【００３５】
（２）上記実施形態では、左右の横側面部１ｂに加えて、後面部１ｃに給気口４が備えられているが、左右の横側面部１ｂだけに給気口４を備えることもできる。この場合には、側部フード１２として、左右フード１３のみを備えればよく、後フード１４を省略することができる。
【符号の説明】
【００３６】
１          空調室外機
４          給気口
５          排気口
１０      フード
１１      上部フード
１２      側部フード
１３      左右フード
１４      後フード
【図１】
2020098046.tif 000003
【図２】
2020098046.tif 000004
【図３】
2020098046.tif 000005
【図４】
2020098046.tif 000006